【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
三次元物体を積層製造する設備で使用される、モジュール状機能ユニットを貯蔵且つ準備するための貯蔵ユニットであって、
粉末構成材料を受容するように構成されたチャンバーを備えるモジュール状機能ユニットを１つ貯蔵するように、それぞれが構成された複数の貯蔵セクションと、
前記複数の貯蔵セクションのうちの少なくとも１つに割り当てられた温度調節装置であって、それぞれの前記モジュール状機能ユニットがそれぞれの前記貯蔵セクションに貯蔵されると、前記チャンバーを加熱すること及び／又は前記粉末構成材料を加熱することを含む温度調節作業を、それぞれの前記モジュール状機能ユニットに対して行うように構成された温度調節装置と、
を備える、貯蔵ユニット。
【請求項２】
前記複数の貯蔵セクションのうちの少なくとも１つに割り当てられた充填装置であって、それぞれの前記モジュール状機能ユニットがそれぞれの前記貯蔵セクションに貯蔵されると、いくらかの前記粉末構成材料を前記チャンバー内へ追加することを含む充填作業を、それぞれの前記モジュール状機能ユニットに対して行うように構成された充填装置を備える、請求項１に記載の貯蔵ユニット。
【請求項３】
前記複数の貯蔵セクションのうちの少なくとも１つに割り当てられた排出装置であって、それぞれの前記モジュール状機能ユニットがそれぞれの前記貯蔵セクションに貯蔵されると、いくらかの前記粉末構成材料を前記チャンバーから除去することを含む排出作業を、それぞれの前記モジュール状機能ユニットに対して行うように構成された排出装置を備える、請求項１又は２に記載の貯蔵ユニット。
【請求項４】
前記複数の貯蔵セクションのうちの少なくとも１つに割り当てられた不活性化装置であって、それぞれの前記モジュール状機能ユニットがそれぞれの前記貯蔵セクションに貯蔵されると、不活性化作業をそれぞれの前記モジュール状機能ユニットに対して行うように構成された不活性化装置を備える、請求項１〜３のいずれか１項に記載の貯蔵ユニット。
【請求項５】
前記不活性化作業が、不活性ではない気体若しくは気体の混合をそれぞれの前記モジュール状機能ユニットの前記チャンバーから吸引すること、及び／又は不活性な気体若しくは気体の混合をそれぞれの前記モジュール状機能ユニットの前記チャンバー内に供給することを含む、請求項４に記載の貯蔵ユニット。
【請求項６】
前記不活性化装置が、
送風装置及び／又は吸引装置と、
それぞれの前記モジュール状機能ユニットがそれぞれの前記貯蔵セクションに貯蔵されると、それぞれの前記モジュール状機能ユニットに接続可能であるインターフェースと、
を備える、請求項４又は５に記載の貯蔵ユニット。
【請求項７】
前記不活性化装置が、前記チャンバーが少なくともいくらかの構成材料を収容している場合、前記不活性化作業を行うように構成されている、請求項４〜６のいずれか１項に記載の貯蔵ユニット。
【請求項８】
前記複数の貯蔵セクションのうちの少なくとも１つに割り当てられた検出装置であって、それぞれの前記モジュール状機能ユニット及び／又はそれぞれの前記貯蔵セクションに対して少なくとも１つの状態パラメータを検出することを含む、検出作業を行うように構成された検出装置を備え、
前記少なくとも１つの状態パラメータが、１つのモジュール状機能ユニットがそれぞれの前記貯蔵セクションに貯蔵されているかどうかに関する表示を含み、且つ／又は、
それぞれの前記モジュール状機能ユニットに対し、それぞれの前記貯蔵セクションに貯蔵されると、前記少なくとも１つの状態パラメータが、
それぞれの前記貯蔵セクションに貯蔵されているモジュール状機能ユニットの種類、及び／又は、
それぞれの前記モジュール状機能ユニットの機能能力、及び／又は、
それぞれの前記モジュール状機能ユニットの前記チャンバーの物理的状態パラメータ、及び／又は、
それぞれの前記モジュール状機能ユニットの前記チャンバー内における構成材料の充填状態
を含む、請求項１〜７のいずれか１項に記載の貯蔵ユニット。
【請求項９】
前記検出装置が、移動可能に支承された造形プレートに連結された駆動装置に関する制御情報を、積層製造機に伝達するように構成され、且つ／又は、
前記検出装置が、前記移動可能に支承された造形プレートの移動に関する監視情報を、前記積層製造機から受信するように構成されている、
請求項８に記載の貯蔵ユニット。
【請求項１０】
当該貯蔵ユニットの、前記温度調節作業を含む１つ以上の作業を制御するように構成された、制御装置を備える、請求項１〜９のいずれか１項に記載の貯蔵ユニット。
【請求項１１】
前記複数の貯蔵セクションのうちの少なくとも１つに割り当てられた充填装置であって、それぞれの前記モジュール状機能ユニットがそれぞれの前記貯蔵セクションに貯蔵されると、いくらかの前記粉末構成材料を前記チャンバー内へ追加することを含む充填作業を、それぞれの前記モジュール状機能ユニットに対して行うように構成された充填装置を備え、前記制御装置が、前記充填作業を制御するように構成され、且つ／又は、
前記複数の貯蔵セクションのうちの少なくとも１つに割り当てられた排出装置であって、それぞれの前記モジュール状機能ユニットがそれぞれの前記貯蔵セクションに貯蔵されると、いくらかの前記粉末構成材料を前記チャンバーから除去することを含む排出作業を、それぞれの前記モジュール状機能ユニットに対して行うように構成された排出装置を備え、前記制御装置が、前記排出作業を制御するように構成され、且つ／又は、
前記複数の貯蔵セクションのうちの少なくとも１つに割り当てられた不活性化装置であって、それぞれの前記モジュール状機能ユニットがそれぞれの前記貯蔵セクションに貯蔵されると、不活性化作業をそれぞれの前記モジュール状機能ユニットに対して行うように構成された不活性化装置を備え、前記制御装置が、前記不活性化作業を制御するように構成され、且つ／又は、
前記複数の貯蔵セクションのうちの少なくとも１つに割り当てられた検出装置であって、それぞれの前記モジュール状機能ユニット及び／又はそれぞれの前記貯蔵セクションに対して少なくとも１つの状態パラメータを検出することを含む、検出作業を行うように構成された検出装置を備え、前記制御装置が、前記検出作業を制御するように構成されている、
請求項１０に記載の貯蔵ユニット。
【請求項１２】
前記複数の貯蔵セクションのうちの少なくとも１つに割り当てられた検出装置であって、それぞれの前記モジュール状機能ユニット及び／又はそれぞれの前記貯蔵セクションに対して少なくとも１つの状態パラメータを検出することを含む、検出作業を行うように構成された検出装置を備え、前記制御装置が、前記検出装置によって検出された前記少なくとも１つの状態パラメータに少なくとも部分的に基づいて、当該貯蔵ユニットの前記１つ以上の作業を制御するように構成されている、請求項１０又は１１に記載の貯蔵ユニット。
【請求項１３】
前記複数の貯蔵セクションのうちの少なくとも１つに割り当てられた固定装置であって、機械的に且つ／又は磁力的に作用する固定要素を含む固定装置を備える、請求項１〜１２のいずれか１項に記載の貯蔵ユニット。
【請求項１４】
前記複数の貯蔵セクションのうちの少なくとも１つに割り当てられたハンドリング装置であって、それぞれの前記モジュール状機能ユニットを前記少なくとも１つの貯蔵セクションのそれぞれに挿入するように、且つ／又は、それぞれの前記モジュール状機能ユニットを前記少なくとも１つの貯蔵セクションのそれぞれから取り出すように構成された、把持装置を含むハンドリング装置を備える、請求項１〜１３のいずれか１項に記載の貯蔵ユニット。
【請求項１５】
前記複数の貯蔵セクションのそれぞれに対応するそれぞれの前記モジュール状機能ユニットが、
高さの調整が可能であると共に、その上で三次元物体を積層製造するように構成された、造形プレートを備える、造形モジュール、及び／又は、
三次元物体を積層製造する際に使用するための構成材料を保持するように構成された、配量モジュール、及び／又は、
三次元物体を積層製造する際に集められた、溢れた構成材料を保持するように構成された、オーバーフローモジュール、
を備える、請求項１〜１４のいずれか１項に記載の貯蔵ユニット。